(57)【特許請求の範囲】
【請求項１】
無線デバイスがアップリンク参照信号の生成を基礎とする擬似ランダムシーケンス発生器を初期化するための基地局によって実施される方法であって、
第１のシーケンスを、第１の無線デバイスの擬似ランダムシーケンス発生器のために可能な初期化シーケンスの第１のサブセットから決定すること（１００）、
第２のシーケンスを、第２の無線デバイスの擬似ランダムシーケンス発生器のために可能な初期化シーケンスの第２のサブセットから決定する（１１０）ことであって、前記第２のサブセットの範囲は、少なくとも、前記第１のサブセットの範囲に及ぶ、決定すること（１１０）、
前記第１のシーケンスを、２つ以上のパラメータの第１の組として符号化すること（１２０）、
前記第２のシーケンスを、単一パラメータとして符号化すること（１３０）であって、前記単一パラメータは、前記第１の組よりも少ないビットを備え、前記第１の組に含まれず、前記第２のシーケンスは、可能な初期化シーケンスの定義された１対１のマッピングに基づき、前記単一パラメータのための可能な値に対する前記第２のサブセット内で符号化され、前記単一パラメータの範囲は前記第２のサブセットの前記範囲よりも小さい、符号化すること（１３０）、並びに
前記第１及び第２の組のパラメータを前記第１及び第２のデバイスに送信することにより、前記第１及び第２のデバイスの前記シーケンス発生器を、前記第１及び第２のシーケンスで初期化すること（１４０）
を含む、方法。
【請求項２】
前記第１及び第２のシーケンスは各々、可能な初期化シーケンスの完全な組の範囲に対応する定義された数のビットを含み、前記単一パラメータは、前記第２のシーケンスからの定義された数の最下位ビットを含み、前記定義された数の最下位ビットは、前記第２のサブセットの範囲に対応する、請求項１に記載の方法。
【請求項３】
前記第２のシーケンスＣｉｎｉｔは、単一パラメータ
0006309132.tif 000033
として符号化され、
0006309132.tif 000034
は、ｘをｘ以下の最も近い整数に丸める床関数を表す、請求項１又は２に記載の方法。
【請求項４】
前記第２の組のパラメータは、９ビット又は１０ビットを含み、前記第２のシーケンスは、３１ビットを含む、請求項１に記載の方法。
【請求項５】
前記第１及び第２のサブセットの範囲は各々、最小値０〜最大値５４１までに及ぶ、請求項１に記載の方法。
【請求項６】
前記第１及び第２のサブセットの範囲は異なるが、同一のビット数に対応する、請求項１に記載の方法。
【請求項７】
前記第１の初期化シーケンスは、セル固有のシーケンスを含み、前記第２の初期化シーケンスは、デバイス固有のシーケンスを含む、請求項１に記載の方法。
【請求項８】
各シーケンスは、巡回シフトホッピングパターンに対応する、請求項１に記載の方法。
【請求項９】
前記第２のシーケンスを決定すること（１１０）は、前記第２のサブセットから、第３の無線デバイスの擬似ランダムシーケンス発生器のために初期化シーケンスに一致する前記可能な初期化シーケンスを選択することを含み、前記第３の無線デバイスは、前記第２の無線デバイスとは異なるセルにより供給される、請求項８に記載の方法。
【請求項１０】
前記第２のシーケンスを符号化すること（１３０）は、前記第２のシーケンス、及び巡回シフトホッピングが、前記第２の組の１つ又は複数のパラメータとして、前記第２のデバイスに対して有効である否かの指示を結合符号化することを含む、請求項９に記載の方法。
【請求項１１】
無線デバイスがアップリンク参照信号の生成を基礎とする疑似ランダムシーケンス発生器を初期化するように構成された基地局（１２−１）であって、トランシーバー回路（５２）、並びに
第１のシーケンスを、第１の無線デバイスの擬似ランダムシーケンス発生器のために可能な初期化シーケンスの第１のサブセットから決定し、
第２のシーケンスを、第２の無線デバイスの擬似ランダムシーケンス発生器のために可能な初期化シーケンスの第２のサブセットから決定し、前記第２のサブセットの範囲は、少なくとも前記第１のサブセットの範囲に及び、
前記第１のシーケンスを、２つ以上のパラメータの第１の組として符号化し、
前記第２のシーケンスを、単一パラメータとして符号化し、前記単一パラメータは、前記第１の組よりも少ないビットを含み、前記第１の組に含まれず、前記第２のシーケンスは、可能な初期化シーケンスの定義された１対１のマッピングに基づき、前記単一パラメータのための可能な値に対する前記第２のサブセット内で符号化され、前記単一パラメータの範囲は前記第２のサブセットの前記範囲よりも小さく、及び
前記第１及び第２の組のパラメータを前記第１及び第２のデバイスに送信することにより、前記第１及び第２のデバイスの前記シーケンス発生器を前記第１及び第２のシーケンスで初期化する
ように構成された１つ又は複数の処理回路（５６）を備える、基地局（１２−１）。
【請求項１２】
前記第１及び第２のシーケンスは各々、可能な初期化シーケンスの完全な組の範囲に対応する定義された数のビットを含み、
前記単一パラメータは、前記第２のシーケンスからの定義された数の最下位ビットを含み、前記定義された数の最下位ビットは、前記第２のサブセットの前記範囲に対応する、請求項１１に記載の基地局（１２−１）。
【請求項１３】
前記第２のシーケンスＣｉｎｉｔは、単一パラメータ
0006309132.tif 000035
として符号化され、
0006309132.tif 000036
は、ｘをｘ以下の最も近い整数に丸める床関数表す、請求項１１又は１２に記載の基地局（１２−１）。
【請求項１４】
第２の組のパラメータは、９ビット又は１０ビットを含み、前記第２のシーケンスは３１ビットを含む、請求項１１に記載の基地局（１２−１）。
【請求項１５】
前記第１及び第２のサブセットの前記範囲は各々、最小値０〜最大値５４１までに及ぶ、請求項１１に記載の基地局（１２−１）。
【請求項１６】
前記第１及び第２のサブセットの前記範囲は異なるが、同一のビット数に対応する、請求項１１に記載の基地局（１２−１）。
【請求項１７】
前記第１の初期化シーケンスは、セル固有のシーケンスを含み、前記第２の初期化シーケンスは、デバイス固有のシーケンスを含む、請求項１１に記載の基地局（１２−１）。
【請求項１８】
各シーケンスは、巡回シフトホッピングパターンに対応する、請求項１１に記載の基地局（１２−１）。
【請求項１９】
前記１つ又は複数の処理回路（５６）は、前記第２のサブセットから、第３の無線デバイスの擬似ランダムシーケンス発生器のために初期化シーケンスに一致する前記可能な初期化シーケンスを選択することにより、前記第２のシーケンスを決定するように構成され、前記第３の無線デバイスは、前記第２の無線デバイスとは異なるセルにより供給される、請求項１８に記載の基地局（１２−１）。
【請求項２０】
前記１つ又は複数の処理回路（５６）は、前記第２のシーケンス、及び巡回シフトホッピングが前記第２の組の１つ又は複数のパラメータとして、前記第２のデバイスに対して有効であるか否かの指示を結合符号化することにより、前記第２のシーケンスを符号化するように構成される、請求項１８に記載の基地局（１２−１）。
【発明の詳細な説明】
【技術分野】
【０００１】
本発明は、概して、無線デバイスベースがアップリンク参照信号の生成を基礎とする疑似ランダムシーケンス発生器の初期化に関し、より具体的には、そのような初期化のためのパラメータを符号化及びシグナリングするための有利な技術に関する。
【背景技術】
【０００２】
無線デバイス（ユーザ装置、ＵＥとも呼ばれる）は、受信基地局が無線チャネルを推定できるようにするためなどの、任意の数の理由のために、無線通信システムの１つ又は複数のアップリンク参照信号を送信する。無線デバイスは、通常、１つ又は複数の擬似ランダムシーケンス発生器を使用して参照信号を生成する。したがって、特定の初期化シーケンスでのシーケンス発生器の初期化は、デバイスが送信するアップリンク参照信号を指示する。基地局は、この点において、デバイスのシーケンス発生器の初期化を支配するが、これは、初期化シーケンスを無線デバイスにシグナリングすることが、シグナリングオーバーヘッドに関して課題があることを意味する。
【０００３】
例えば、ロングタームエボリューション（ＬＴＥ）ネットワークについて考える。ＬＴＥネットワークは、異なるセクター、及び／又はセルが、例えば、スケジューリング及び／又は処理などの点で協調して動作する、選択的なＣｏＭＰ（協調マルチポイント処理）技術を有効にすることを目的に設計される。例では、単一のＵＥから発生する信号は、通常、複数の受信点で受信され、リンク品質を改善するために、結合処理されるアップリンク（ＵＬ）ＣｏＭＰである。ＵＬ結合処理（ＵＬ  ＣｏＭＰのとも呼ばれる）は、従来の配置でセル間干渉とみなされるものの有用な信号への変換を可能にする。したがって、ＵＬ  ＣｏＭＰを利用するＬＴＥネットワークは、ＣｏＭＰの利益を完全に利用するために、従来の展開に比べて小さなセルサイズで展開することができる。
【０００４】
ＬＴＥ  ＵＬは、コヒーレント処理を想定して設計される、即ち、受信機は、送信ＵＥからの無線チャネルを推定し、検出段階においてそのような情報を活用できることが想定される。したがって、各送信ＵＥは、各ＵＬデータ又は制御チャネル（例えば、ＰＵＳＣＨ及びＰＵＣＣＨ）に関連する参照信号（ＲＳ）を送信する。３ＧＰＰ  ＴＳ３６．２１１  Ｖ１０．４．０（２０１１−１２）、「技術仕様グループ無線アクセスネットワーク；進化型ユニバーサル地上無線アクセス（Ｅ−ＵＴＲＡ）；物理チャネル及び変調（リリース１０）」。ＰＵＳＣＨの場合には、スロットごとに１つの復調参照信号（ＤＭＲＳ）が、アップリンクデータチャネルと同一の帯域幅で送信される。ＰＵＣＣＨの場合には、複数のＰＵＣＣＨ−ＲＳが送信され、ＵＥによって各サブフレーム内で時間多重化されるが、これらは、ＵＥに割り当てられたＰＵＣＣＨの帯域幅に及ぶ。
【０００５】
おそらくＵＥによって送信される追加のＲＳは、サウンディング参照信号（ＳＲＳ）で構成される。これらの参照信号は、ネットワーク側のＵＬチャネル特性の推定を有効にするために、所定の時間インスタンスで、所定の帯域幅でＵＥによって送信される。
【０００６】
同一セル内の異なるＵＥからのＲＳは、潜在的に互いに干渉しつつ、隣接するセル内でＵＥが発生するＲＳとでさえ、同期するネットワークを想定している。ＲＳの間の干渉のレベルを制限するために、種々の技術が、直交又は準直交ＲＳを可能にするために、種々のＬＴＥリリースで導入されている。ＬＴＥの設計原理は、（直交ＲＳが、いわゆる「シーケンス計画」によるセルの集合体のために達成することができるにもかかわらず）各セル内の直交ＲＳ、及び異なるセル間の準直交ＲＳを想定する。しかしながら、異なるセルに属するＵＥによって送信されるＤＭＲＳの直交性は、Ｒｅｌ−１１のＬＴＥ標準化において現在議論中である。セル間ＤＭＲＳの直交性についての技術群が議論されている。これらの技術の中には、後でより完全に説明するように、異なるセル内の異なるＵＥによってＲＳ生成に用いられるベースシーケンスインデックス（ＢＳＩ）の調整（ｃｏｏｒｄｉｎａｔｉｎｇ）の可能性次第のものもある。
【０００７】
ＬＴＥのＵＬにおける別のアプリケーションは、マルチユーザ、マルチ入力、マルチ出力（ＭＵＭＩＭＯ）であり、そこでは、複数のＵＥからのＰＵＳＣＨでのデータ送信が、同一セル内で、同一サブフレーム内に少なくとも部分的に重複する帯域幅に共にスケジュールされる（ｃｏｓｃｈｅｄｕｌｅｄ）。ＵＥは、マルチアンテナ処理を利用することにより受信側で分離される。受信機が共にスケジュールされたＵＥからの信号を分解できるように、そのようなＵＥのための直交方式でＤＭＲＳを割り当てることが有益である。これは、共にスケジュールされたＵＥのＤＭＲＳに異なる直交カバーコード（ＯＣＣ）を割り当てることにより達成することができる。共にスケジュールされた帯域幅が完全に重なっている場合は、異なるＵＥのためのＤＭＲＳの巡回シフト（ＣＳ）の分離もまた利用することができる。
【０００８】
各ＤＭＲＳは、いわゆるベースシーケンスインデックス（ＢＳＩ）を定義するグループインデックス及びシーケンスインデックスにより特徴づけられる。ＢＳＩは、Ｒｅｌ−８／９／１０のセル固有の方式で割り当てられ、セルＩＤがＬＴＥのセルを特徴付け、いくつかのセル固有のアルゴリズム及び手順に影響を与えるセルＩＤの関数である。異なるベースシーケンスは順直交であり、これは、いくつかのシーケンス間干渉が一般的な場合に存在することを意味する。所与のＵＥのためのＤＭＲＳは、ＰＵＳＣＨの同一帯域で送信されるのみで、ベースシーケンスは、ＲＳ信号がＰＵＳＣＨ帯域幅の関数であるように、対応して生成される。サブフレームごとに、２つのＲＳが、スロットごとに１つずつ送信される。Ｒｅｌ−１１では、ＢＳＩのＵＥ固有の割り当てが導入される可能性がある。
【０００９】
直交ＤＭＲＳは、Ｒｅｌ−８／９の巡回シフト（ＣＳ）の使用により、又はＲｅｌ−１０の直交するＯＣＣと併せてＣＳにより達成することができる。ＣＳは、同一のベースシーケンスから生成されるＲＳのうち、特定の伝搬条件下で巡回時間シフト（ｃｙｃｌｉｃ  ｔｉｍｅ  ｓｈｉｆｔ）に基づいて、直交性を実現するための方法である。実際には８未満の直交ＤＭＲＳが、チャネル伝搬特性に応じて実現できる（この例ではＯＣＣを考慮せずに）にも関わらず、８つの異なるＣＳ値だけが、Ｒｅｌ−８／９／１０で動的にインデックス付与できる。ＣＳが完全に重複する帯域幅に割り当てられた多重化ＤＭＲＳで有効だとしても、直交性は、帯域幅が異なる場合、及び／又は干渉ＵＥが別のベースシーケンスを採用する場合に、失われる。
【００１０】
異なるＵＥ間で（例えば、異なるセルで）干渉のランダム化を増加させるために、ＣＳ値への擬似ランダムオフセットが適用される（ＣＳホッピング、ＣＳＨ）。ランダム化パターンは、Ｒｅｌ−８／９／１０におけるセル固有のものである。異なるＣＳオフセットは、概して、各スロットに適用され、ＵＥとｅＮＢ両側で分かるので、チャネル推定中に受信側で補償することができる。ＣＳＨは、３１ビットを有するシーケンス初期化パラメータＣｉｎｉｔに応じて生成される。  
【００１１】
ＯＣＣは、各ＵＬサブフレームに設けられた２つのＲＳ上で動作する、直交時間領域コードに基づく多重化技術である。ＯＣＣコード［１−１］は、受信機での整合フィルタが、同一のサブフレームの両方のＤＭＲＳで一致すると、ＯＣＣコード［１−１］が寄与する限り、干渉するＤＭＲＳを抑制することができる。同様に、ＯＣＣコード［１  １］は、ｅＮＢ整合フィルが、同一のサブフレームの２つのＲＳでそれぞれ反対の符号を有すると、ＯＣＣコード［１  １］が寄与する限り、干渉するＤＭＲＳを抑制することができる。ＣＳとＯＣＣがＲＥＬ−１１  ＵＥによってもサポートされると仮定することは容易である。
【００１２】
ベースシーケンスが準静的な方法で割り当てられる一方で、ＣＳ及びＯＣＣは、ＵＬ  ＰＵＳＣＨ送信ごとにスケジューリング許可の一部として動的に割り当てられる。結合処理技術がＰＵＳＣＨのために適用できるにもかかわらず、ＤＭＲＳに基づくチャネル推定は、通常、ＵＬ  ＣｏＭＰの場合でさえ、各受信点で独立した方法で実行される。したがって、特にＲＳについては、干渉レベルを許容可能な低いレベルに維持することが重要である。
【００１３】
ＳＲＳの場合、ＲＳはまた、ＢＳＩ（一部のＵＥのＤＭＲＳ  ＢＳＩとは異なることがある）に従って生成される。異なるＳＲＳは、ＣＳ及びＣＯＭＢの使用により多重化することができる。ＣＯＭＢは、ＲＳの副搬送波のサブセットへの特定の交互配置されたマッピングを示す。異なるＣＯＭＢＳ（即ち、副搬送波の重複しない組）に割り当てられたＳＲＳは、ゆえに理想的に直交する。
【００１４】
ＰＵＣＣＨ−ＲＳの場合、スロットごとに１つ又は複数のＲＳが、ＰＵＣＣＨフォーマット及び他のパラメータに応じて、生成される。異なるＵＥのＰＵＣＣＨ−ＲＳは、各スロットに及ぶＣＳ及びＯＣＣの使用により、分離される。また、ＰＵＣＣＨ−ＲＳは、概して、ＤＭＲＳ  ＢＳＩとは異なることがあるＢＳＩに応じて生成される。
【００１５】
ＬＴＥのＲｅｌ−１１で議論されている改善点の１つは、ＵＥの特定の方法で、準静的に又は動的に、例えばスケジューリング許可でシグナリングすることによって、ＢＳＩ及びＣＳＨ初期化のためのパラメータを構成する可能性から構成されている。このような構成可能性により、例えば、ＵＥ間でのセル間直交性などを有効にする追加のＲＳの割り当てオプションが可能になる。Ｒ１１２１０２８−「ＵＬ  ＤＭＲＳ構成及びシグナリングについての詳細」。ＯＣＣによる直交性を実現するために、同一のＣＳＨパターンでペアリングされたＵＥを構成する必要がある。しかしながら、問題として、ＣＳＨの初期化Ｃｉｎｉｔは、３１ビットのパラメータであり、シグナリングされるためのかなりのオーバーヘッドを必要とする。
【発明の概要】
【課題を解決するための手段】
【００１６】
本明細書中の１つ又は複数の実施形態は、有利には、既知の制御シグナリングの手法と比較して、基地局と無線通信システムにおける無線デバイスとの間の制御シグナリングを低減する。特に、実施形態は、無線デバイスがアップリンク参照信号の生成を基礎とする擬似ランダムシーケンス発生器を初期化するための制御シグナリングを低減する。
【００１７】
より具体的には、１つ又は複数の実施形態は、無線デバイスがアップリンク参照信号の生成を基礎とする擬似ランダムシーケンス発生器を初期化するように構成された基地局を含む。基地局は、第１のシーケンスを、第１の無線デバイスの疑似ランダムシーケンス発生器のために可能な初期化シーケンスの第１のサブセットから決定するように構成され、第２のシーケンスを、第２の無線デバイスの疑似ランダムシーケンス発生器のために可能な初期化シーケンスの第２のサブセットから決定するように構成される。この第２のサブセットの範囲は、少なくとも第１のサブセットの範囲に及ぶ。
【００１８】
基地局は、さらに、第１のシーケンスを、２つ以上のパラメータの第１の組として符号化し、第２のシーケンスを、１つ又は複数のパラメータの第２の組として符号化する。このパラメータの第２の組は、パラメータの第１の組に含まれない少なくとも１つのパラメータを含み、第１の組より少ないビットを含む。この符号化を実行した後に、前記基地局を処理することは、前記第１及び第２の組のパラメータを前記第１及び第２のデバイスに送信することにより、前記第１及び第２のデバイスのシーケンス発生器を、前記第１及び第２のシーケンスで初期化する。パラメータの組を受信すると、デバイスは、シーケンスをパラメータのそれらの組の関数として定義し、次にアップリンク参照信号をそれらのシーケンスに基づき生成する１つ又は複数の規則に従って、シーケンスを復号する。
【００１９】
少なくともいくつかの実施形態において、基地局は、第２のシーケンスを単一パラメータとして符号化する。１つの実施形態では、例えば、この単一パラメータは、第２のサブセットの範囲に対応する第２のシーケンスから定義された数の最下位ビットを含む。別の実施形態では、それに反して、前記第２のシーケンスは、可能な初期化シーケンスの定義された１対１のマッピングに基づき、前記単一パラメータのための可能な値に対する前記第２のサブセット内で符号化され、前記単一パラメータの範囲は、前記第２のサブセットの範囲より小さい。
【００２０】
他の実施形態では、基地局は、第２のシーケンスを、２つのパラメータの線形結合として符号化する。この場合、前記２つのパラメータのうちの第１のパラメータは、前記第２のシーケンスから定義された数の最下位ビット数を符号化し、前記２つのパラメータのうちの第２のパラメータは、前記第２のシーケンスから定義された数の上位ビット（前記第２のシーケンスから１つ又は複数の最上位ビットを含まない）を符号化する。
【００２１】
いずれの場合にせよ、第２のシーケンスは、いくつかの実施形態では、９ビット又は１０ビットだけを含む第２の組のパラメータとして符号化されるが、これは、これらの実施形態では、第２のシーケンス自体をシグナリングするために必要な３１ビットよりも大幅に少ないビットである。実施形態は、それによって、第２のシーケンスのシグナリングに関連する制御シグナリングを低減することを証明する。
【００２２】
初期化シーケンスがデバイスのための巡回シフトホッピングパターンに対応する１つ又は複数の実施形態では、第１の初期化シーケンスは、セル固有のシーケンスを含み、第２の初期化シーケンスは、デバイス固有のシーケンスを含む。基地局は、第１のデバイスに対して下位互換性を維持するために、シーケンス発生器を初期化する一方で、異なるセルの第３の無線デバイスに対する第２のデバイスのためのセル間直交性を実現する。例えば、実施形態がＬＴＥを採用する場合、第１及び第３のデバイスは、ＬＴＥのＲｅｌ−８／９／１０のために構成されるレガシーデバイスを備え、第２のデバイスは、ＬＴＥのＲｅｌ−１１のために構成される新しいデバイスを備える。
【００２３】
この場合、基地局は、第２のサブセットから第３のデバイスの擬似ランダムシーケンス発生器のために初期化シーケンスに一致する初期化シーケンスを選択することにより、第２のデバイスのための第２のシーケンスを決定する。基地局は、第２のサブセットの範囲が、少なくとも第３のデバイスのための可能な初期化シーケンスのサブセットの範囲に及ぶので、これを行うことができる。つまり、第２のデバイスの初期化シーケンスは、第３のデバイスに可能である値をとることができる。第２及び第３のデバイスのための初期化シーケンス（及びそれゆえに、巡回シフトホッピングパターン）が同一であれば、基地局は、デバイスのための異なる直交カバーコード（ＯＣＣ）を使用することにより、これらのペアリングされたデバイスのためのセル間直交性を実現することができる。したがって、特に、このように初期化シーケンスを構成することにより、基地局は、それらのデバイスのアップリンク参照信号間のセル間直交性を実現するために、１つのセルの新しいデバイスを、異なるセル内の任意のレガシーデバイスと任意にペアリングすることができる。
【００２４】
もちろん、本発明は、上記特徴及び利点に限定されるものではない。実際、当業者は、以下の詳細な説明を読み、添付の図面を見れば、追加の特徴及び利点を認識するだろう。
【図面の簡単な説明】
【００２５】
【図１】シーケンス発生器初期化のための本明細書中の１つ又は複数の実施形態に従って構成される、基地局及び無線デバイスを有する無線通信システムのブロック図である。
【図２】本明細書中の１つ又は複数の実施形態による疑似ランダムシーケンス発生器を初期化するための基地局によって実行される処理の論理フロー図である。
【図３】１つ又は複数の実施形態による別の無線デバイスの初期化シーケンスの基地局の符号化の一例を示す。
【図４】本明細書中の１つ又は複数の他の実施形態による疑似ランダムシーケンス発生器を初期化するための基地局によって実行される処理の論理フロー図である。
【図５】１つ又は複数の実施形態による、可能な初期化シーケンスの１０進表示と単一パラメータのための可能な値との間の例示的な１対１のマッピングを示す表である。
【図６】図６Ａは、１つ又は複数の実施形態による結合符号化の一例を示す表であり、図６Ｂは、１つ又は複数の実施形態による結合符号化の例を示す表である。
【図７】本明細書中の１つ又は複数の実施形態による疑似ランダムシーケンス発生器を初期化するための無線デバイスによって実行される処理の論理フロー図である。
【図８】１つ又は複数の実施形態による、可能な初期化シーケンスの１０進表示とパラメータの組のための可能な値との間の例示的な１対１のマッピングを示す表である。
【図９】本明細書の１つ又は複数の実施形態による疑似ランダムシーケンス発生器を初期化するように構成された無線デバイスを示すブロック図である。
【図１０】本明細書の１つ又は複数の実施形態による疑似ランダムシーケンス発生器を初期化するように構成された基地局を示すブロック図である。
【発明を実施するための形態】
【００２６】
図１は、１つ又は複数の実施形態による無線通信システム１０を示す。システム１０は、複数の地理的に分散した基地局１２−１、１２−２、．．．１２−Ｎを備える無線アクセスネットワーク（ＲＡＮ）を含む。基地局１２−１、１２−２、．．．１２−Ｎ（基地局１２と総称される）は、無線通信適用範囲を、セル１４−１、１４−２、．．．１４−Ｎと呼ばれるそれぞれの領域内で無線デバイス１６−１，１６−２、．．．１６−Ｍに提供する。基地局１２を介して、無線デバイス１６は、デバイス１６を１つ又は複数の外部ネットワーク２０、例えば、インターネットなどに順に接続するコアネットワーク１８にアクセスする。
【００２７】
無線デバイス１６は、それぞれのアップリンク参照信号２２を基地局１２に送信する。基地局１２は、基地局１２とデバイス１６との間のそれぞれの無線チャネルを推定するためなどの、さまざまな理由のために、アップリンク参照信号を用いる。アップリンク参照信号は、例えば、基地局１２が、アップリンクデータ及び／又は制御信号、サウンディング参照信号（ＳＲＳ）などを復調するために使用する復調参照信号（ＤＭＲＳ）を備えることができる。いずれにせよ、デバイス１６は、これらのアップリンク参照信号２２を生成するために、擬似ランダムシーケンス発生器を用いる。任意の所与のデバイス１６−ｍは、例えば、２つの最大長のシーケンスを生成するために２つのシーケンス発生器を使用することができ、次に、モジュロ−２は、デバイス１６のためのアップリンク参照信号２２が基礎とするゴールドシーケンスを形成するためにそれらのシーケンスを追加する。いくつかの実施形態におけるこのゴールドシーケンスは、例えば、デバイス１６が巡回シフトに適用する巡回シフトホッピング（ＣＳＨ）のパターンを指示し、次いで、アップリンク参照信号２２を生成するために、生じた巡回シフトをベースシーケンスに適用する。
【００２８】
基地局１２−ｎは、任意の所与のデバイス１６−ｍが、他の物の間で、１つ又は複数のデバイスの擬似ランダムシーケンス発生器の初期化を支配することにより送信する、アップリンク参照シグナル２２−ｍを支配する。この点において、基地局１２−ｎは、デバイスに、ＬＴＥの実施形態において１０進形式Ｃｉｎｉｔであらわされる初期化シーケンスのような、発生器が初期化される初期化シーケンスを通知することにより、デバイスのシーケンス発生器を初期化する。いくつかの実施形態では、基地局１２−ｎは、それに基づき、デバイスのアップリンク参照信号２２を識別するなどのために、異なる（すなわち、デバイス固有の）初期化シーケンスで、異なるデバイスのシーケンス発生器を初期化する。他の実施形態では、基地局１２−ｎは、デバイスのアップリンク参照シグナル２２をそれに基づき識別しつつ、共通の（例えば、セル固有の）初期化シーケンスで、異なるデバイスのシーケンス発生器を初期化する。さらに他の実施形態では、基地局１２−ｎにより、デバイス固有のシーケンスで初期化されるデバイスのシーケンス発生器もあれば、セル固有のシーケンスで初期化されるデバイスのシーケンス発生器もある。いずれにせよ、既知の手法と比較して、それらのシーケンスを示すために必要な制御シグナリングの量を減らすために、本明細書中の基地局１２−ｎは、有利には、異なる方法で、少なくともいくつかのデバイス１６のための初期化シーケンスを符号化する。
【００２９】
図２は、基地局１２−１、無線デバイス１６−１、及び無線デバイス１６−２を例として参照して、この点における１つ又は複数の実施形態による基地局処理を示す。無線デバイス１６−１及び１６−２は、基地局１２−１が図２に示す処理を実行するために、同時に基地局のセル１４−１内に存在する必要はない。実際、以下に説明するように、基地局１２−１は、デバイス１６−２の初期化シーケンスの決定、符号化、及びシグナリングから独立して、デバイス１６−１の初期化シーケンスを決定し、符号化し、シグナリングする。同一の初期化シーケンスがデバイス１６−１及び１６−２のために決定されるかどうか（例えば、シーケンスがセル固有である場合）に関わらず、及びデバイス１６−１及び１６−２のための初期化シーケンスが少なくとも１つの共通するパラメータを使用して符号化されるかどうかに関わらず、そのような状況は変わらない。この独立した処理は、基地局１２−１が、少なくともいくつかの実施形態では、デバイス１６−２のための初期化シーケンスの決定、符号化、及びシグナリングとは異なる時間に、デバイス１６−１のための初期化シーケンスを決定し、符号化し、シグナリングするように構成できることを意味する。
【００３０】
この点を考慮して、図２の基地局１２−１によって実施される処理は、第１のシーケンスを、第１の無線デバイス１６−１の擬似ランダムシーケンス発生器のために可能な初期化シーケンスの第１のサブセットから決定することを含む（ブロック１００）。処理は、第２のシーケンスを、第２の無線デバイス１６−２の擬似ランダムシーケンス発生器のために可能な初期化シーケンスの第２のサブセットから決定することをさらに含む（ブロック１１０）。可能なシーケンスのこの第２のサブセットの範囲は、少なくとも可能なシーケンスの第１のサブセットの範囲に及ぶ。このようにシーケンスを決定することは、シーケンスを計算すること、シーケンスをメモリから取得すること、又はシーケンスを他の方法で獲得することを含むことができ、別のセル（例えば、セル１４−２）によって用いられるセル固有のシーケンスを決定することを含むことができる。
【００３１】
これらのシーケンスがどのように決定されるかに関わらず、基地局１２−１での処理はまた、第１のシーケンスを、２つ以上のパラメータの第１の組として符号化すること（ブロック１２０）、及び第２のシーケンスを、１つ又は複数のパラメータの第２の組のとして符号化すること（ブロック１３０）を伴う。このパラメータの第２の組は、パラメータの第１の組に含まれない少なくとも１つのパラメータを含み、第１の組より少ないビットを含む。つまり、第２のデバイス１６−２にシグナリングされる可能な初期化シーケンスの範囲（すなわち、第２のサブセットの範囲）が、少なくとも、第１のデバイス１６−１にシグナリングされる可能な初期化シーケンスの範囲（すなわち、第１のサブセットの範囲）に及ぶとしても、第２のデバイス１６−２の初期化シーケンスは、第１のデバイス１６−１の初期化シーケンスよりも少ないビットで符号化される。この符号化を実行して、基地局１２−１での処理は、第１及び第２の組のパラメータを第１及び第２のデバイス１６−１、１６−２に送信することにより、第１及び第２のデバイス１６−１、１６−２のシーケンス発生器を、第１及び第２のシーケンスで初期化すること（ブロック１４０）を最終的に含む。上述のように、そのような初期化及び送信は、独立して、異なるデバイス１６−１，１６−２のための異なる時間で実行することができる。
【００３２】
第１の組のパラメータを受信するとすぐに、第１のデバイス１６−１は、第１の組のパラメータの関数としてシーケンスを定義する、１つ又は複数の規則に従って、第１のシーケンスを復号し、次に、そのシーケンスに初期化されたデバイスのシーケンス発生器でアップリンク参照信号を生成する。第１のデバイス１６−１が基地局１２−１へアップリンク参照信号を送信すると、基地局１２−１は、アップリンク参照信号に基づいて、第１のデバイス１６−１への無線通信チャネルを推定するために、第１の組のパラメータを採用する。同様に、第２の組のパラメータを受信するとすぐに、第２のデバイス１６−２は、第２の組のパラメータの関数としてシーケンスを定義する、１つ又は複数の規則に従って第２のシーケンスを復号し、次に、そのシーケンスに初期化されたデバイスのシーケンス発生器でアップリンク参照信号を生成する。第２のデバイス１６−２がアップリンク参照信号を基地局１２−１に送信すると、基地局１２−１は、アップリンク参照信号に基づいて、第２のデバイス１６−２への無線通信チャネルを推定するために、第２の組のパラメータを採用する。
【００３３】
図３は、基地局処理の１つの簡単な例の図形表示を示す。（しかしながら、この単純な例は、使用されるビット数及びサブセットの位置の点で、非限定的である）。図３に示すように、第１の無線デバイス１６−１のシーケンス発生器は、３１ビット（最下位ビットを基準にレベル付された０〜３０）を含む。このように、第１のデバイス１６−１のシーケンス発生器のために可能な初期化シーケンスの完全な組２４−１は、少なくとも名目上は、シーケンス「０００．．．．０００」からシーケンス「１１１．．．．１１１」（すなわち、２０から２３０までの１０進法の範囲）を含む。この例における第２のデバイス１６−２のシーケンス発生器のために可能な初期化シーケンスの完全な組２４−２についても同じことが言える。
【００３４】
初期化シーケンスの完全な組２４−１、２４−２により提供される名目上の可能性にもかかわらず、基地局１２−１は、結果的にシグナリングされる初期化シーケンスを人工的に制限するために、デバイス１６−１，１６−２の実際の初期化シーケンスを決定する際に、それらの可能性のうちのいくつかを検討事項から排除する。具体的には、基地局１２−１は、可能な初期化シーケンスのサブセット２８−１のみから第１のデバイス１６−１のための第１のシーケンス２６−１を決定し、可能な初期化シーケンスのサブセット２８−２のみから第２のデバイス１６−２のための第２のシーケンス２６−２を決定する。図示のように、これらのサブセット２８−１、２８−２内の可能なシーケンスは、なおも３１ビットを含み、即ち、それは、可能なシーケンスの完全な組２４−１、２４−２の範囲に対応するビット数である。しかし、サブセット２８−１、２８−２内のシーケンスは、２１の最上位ビットについて０を有しており、これは、サブセット２８−１、２８−２の範囲３０−１、３０−２が１０の最下位ビットのみによって表されることを意味する。この場合、第２のサブセット２８−２の範囲３０−２は、第１のサブセット２８−１の範囲の３０−１と同一の範囲に及ぶ。しかし、一般的には、第２のサブセット２８−２の範囲３０−２は、たとえ２つのサブセット２８−１、２８−２が同一のビット数によって表されるとしても、第１のサブセット２８−１の範囲３０−１よりも大きな範囲に及ぶこともある（例えば、１０進法の１０２３対５４１）。  
【００３５】
いずれにせよ、基地局１２−１は、第２のデバイス１６−２のための第２のシーケンス２６−２を符号化する方法とは別の方法で、第１のデバイス１６−１のための第１のシーケンス２６−１を符号化する。いくつかの実施形態では、例えば、第１のデバイス１６−１及び第２のデバイス１６−２は、異なる種類又はモデルのデバイスであり、ゆえに、シーケンス２６−１及び２６−２を異なる方法で復号するように構成される。１つの例における第１のデバイス１６−１は、ＬＴＥ  Ｒｅｌ−８／９／１  のために構成されるレガシーデバイスを備え、第２のデバイス１６−２は、ＬＴＥ  Ｒｅｌ−１１のために構成されるより新しいデバイスを備える。以下でより詳しく説明されるが、第２のサブセット２８−２の範囲３０−２は、第１のサブセット２８−１の範囲３０−１と少なくとも同程度の大きさに及ぶので、基地局１２−１は、この場合、有利には、同一の初期化シーケンスをレガシーデバイス及び新しいデバイスに割り当てることができるが、より効率的な方法で、初期化シーケンスを新たなデバイスにシグナリングすることができる。
【００３６】
いずれにしても、基地局１２−１は、第１のシーケンス２６−１を、２つ以上のパラメータの第１の組３２−１のとして符号化し、第２のシーケンス２６−２を、１つ又は複数のパラメータの第２の組３２−２のとして符号化する。第２の組３２−２が、第１の組３２−１と少なくても同程度の可能な初期化シーケンスの範囲を表すことができるとしても、第２のシーケンス２６−２の符号化は、少なくとも、第２の組３２−２が、第１の組３２−１よりも少ないビットを含むという意味で、第１のシーケンス２６−１の符号化に対して最適化される。これらのパラメータの組３２−１、３２−２は、次に、実際の初期化シーケンス２６−１、２６−２ではなく、無線デバイス１６−１、１６−２にシグナリングされる。パラメータの各組３２−１、３２−２は、３１ビットのシーケンス２６−１、２６−２自体をシグナリングするのに必要とされるほど、シグナリングのためにビットを必要とせず、これは、符号化が、有利には、シーケンス２６−１、２６−２をデバイス１６−１、１６−２に示すのに必要とされる制御シグナリングの量を減らすことを意味する。
【００３７】
いくつかの実施形態では、第２のシーケンス２６−２は、単一パラメータｚとして符号化されるのに対し、第１のシーケンス２６−１は、２つ以上のパラメータとして符号化される。即ち、第２の組３２−２は、たとえ第１の組３２−１が複数のパラメータを有しているとしても、ただ１つのパラメータ、つまりｚを有するだけである。
【００３８】
図４は、特にこの単一パラメータ符号化に関して、基地局１２−１での処理を示す。図４に示すように、基地局１２−１での処理は、無線デバイス１６−２のシーケンス発生器のために可能な初期化シーケンスのサブセット２８−２からシーケンス２６−２を決定すること（ブロック２００）を伴う。次に、処理は、決定されたシーケンス２６−２を単一パラメータｚとして符号化すること（ブロック２１０）を含む。この単一パラメータｚの異なる値は、サブセット２８−２内で異なる可能な初期化シーケンスを表す。処理は、単一パラメータｚを送信することにより、無線デバイス１６−２のためのシーケンス発生器を、決定されたシーケンス２６−２で初期化すること（ブロック２２０）を最終的に含む。
【００３９】
少なくとも１つの実施形態では、単一パラメータｚは、定義された数が第２のサブセット２８−２の範囲３０−２に対応する第２のシーケンス２６−２から定義された数の最下位ビットを含む。図３の例では、この単一パラメータｚは、したがって、第２のシーケンス２６−２の１０の最下位ビットを含むだろう。いずれにせよ、この実施形態では、基地局１２−１の符号化は、第２のシーケンス２６−２の定義された数の最上位ビット（例えば、２１の最上位ビット、すなわち１０〜３０ビット）を切り捨てることを伴うが、これは、これらのビットが、第２のサブセット２８−２内で全ての可能なシーケンスにおいて０であるからである。第２のデバイス１６−２は、例えば、０を単一パラメータｚの先頭に追加することなどにより、単一パラメータｚを０でパディングする復号化を実行することができるだろう。しかし、当業者であれば、パディングは、他の実施形態では、異なる方法で第２のデバイス１６−２により実行できることを理解するだろう。例えば、いくつかの実施形態では、第２のデバイス１６−２は、０をそのパラメータにアペンドすることにより、単一パラメータｚをパディングする。
【００４０】
少なくとも１つの他の実施形態では、第２のシーケンス２６−２は、可能な初期化シーケンスの定義された１対１のマッピングに基づき、単一パラメータｚのための可能な値に対する第２のサブセット３０−２内で符号化される。しかしながら、注目すべきは、単一パラメータｚの範囲が、第２のサブセット２８−２の範囲３０−２よりも小さいことである。この意味において定義されるマッピングは、より少ないビットの第２のシーケンス２６−２をシグナリングするために、第２のサブセット２８−２の範囲３０−２を、単一パラメータｚに効果的に圧縮する。
【００４１】
図５は、第２のサブセット２８−２から選択される第２のシーケンス２６−２が、第２のシーケンス２６−２の１０進表示であるＣｉｎｉｔとして表される、ＬＴＥの実施形態に照らした例示的な、定義されたマッピングを示す。図４に示すように、可能な初期化シーケンスＣｉｎｉｔのサブセット２８−２は、すべての初期化シーケンスをサブセットの範囲３０−２内に含むわけではないという意味では疎である。例えば、サブセット２８−２は、たとえサブセットの範囲３０−２がＣｉｎｉｔの値０〜５４１に及んでいるにせよ、３０、３１、６２、６３、９４、９５、などのＣｉｎｉｔ値を含まない。定義されたマッピングは、サブセット２８−２内のこれらの可能な初期化シーケンスＣｉｎｉｔを、単一パラメータｚのための可能な値にマッピングし（ここでは、１０進表示として示される）、その結果、ｚは疎でなくなる。マッピングによれば、初期化シーケンスＣｉｎｉｔ＝３２がｚ＝３０として符号化され、Ｃｉｎｉｔ＝３３がｚ＝３１として符号化され、Ｃｉｎｉｔ＝６４がｚ＝６０として符号化され、Ｃｉｎｉｔ＝６５がｚ＝６１として符号化される、などである。このマッピングの性質のため、可能な初期化シーケンスＣｉｎｉｔの第２のサブセット２８−２の｛０、５４１｝の範囲３０−２は、単一パラメータｚの｛０、５０９｝の範囲に圧縮される。したがって、注目すべきは、単一パラメータｚのシグナリングには、９ビットが必要であるが、これは、この圧縮をせずに、先ほど述べられたパラメータｚをシグナリングするために必要とされるであろう１０ビットよりも、シグナリングするために１ビット少ない。
【００４２】
図５は、言うまでもなく、定義されたマッピングを、符号化のために基地局１２−１により取得される参照表として示す。いくつかの実施形態における基地局１２−１は、表をメモリから取得し、他方で、他の実施形態では、基地局１２−１は、予め定義された数式にしたがって、必要に応じて表を生成することにより、表を取得する。いずれにせよ、基地局１２−１は、第２のシーケンス２６−２Ｃｉｎｉｔを、第２のサブセット２８−２から選択し、次に参照表の選択されたシーケンスＣｉｎｉｔに対応するパラメータｚを決定する。
【００４３】
他の実施形態では、マッピングが、参照表以外の方法で実施される。１つの実施形態では、例えば、定義されたマッピングは、符号化のために基地局１２−１により使用されるアルゴリズム又は数式として存在する。具体的には、基地局１２−１は、
0006309132.tif 000002
がｘをｘ以下の最も近い整数に丸める床関数を示すとすると、選択された初期化シーケンスＣｉｎｉｔを単一パラメータ
0006309132.tif 000003
として符号化する。
【００４４】
さらに、図５は、単一パラメータｚを、可能な初期化シーケンスＣｉｎｉｔの第２のサブセット２８−２の範囲を圧縮するために必要とされる最小範囲を有するかのように図示しているが、そうである必要はない。例えば、第２のシーケンス２６−２Ｃｉｎｉｔは、デバイス１６−２が、アップリンク参照信号２２−２を生成するための巡回シフトに適用するＣＳＨに対応する実施形態を考える。この場合の１つ又は複数の実施形態では、
基地局１２−１は、第２のシーケンス２６−２Ｃｉｎｉｔ、及びＣＳＨが第２の組３２−２の１つ又は複数のパラメータとして有効であるかどうかの指示を結合符号化する。ゆえに、第２の組３２−２のパラメータがただ単一パラメータｚを含む場合には、ｚの範囲は、ＣＳＨが有効かどうかを示すために拡張される。
【００４５】
図６Ａ及び図６Ｂは、この２つの異なる例を示す。両方の例では、基地局１２−１は、結合符号化を実行し、その結果、単一パラメータｚは、第２のシーケンス２６−２Ｃｉｎｉｔを先述のように示すだけではなく、ＣＳＨ＿ＥＮＡＢＬＥと呼ばれるフラグも示す。ＣＳＨ＿ＥＮＡＢＬＥ  ＝  １の場合、ＣＳＨは有効である。ＣＳＨ＿ＥＮＡＢＬＥ  ＝  ０の場合、ＣＳＨは有効でない。
【００４６】
図６Ａの結合符号化によれば、基地局１２−１は、結合符号化を実行し、その結果、パラメータｚが０〜５０９の１０進法の値を有する場合に、単一パラメータｚは、ＣＳＨ＿ＥＮＡＢＬＥ＝１を示す。ｚのこれらの可能な値は、同様に図５に示すように、可能な初期化シーケンスＣｉｎｉｔにマッピングされるが、これは、結合符号化がまた、ＣＳＨ＿ＥＮＡＢＬＥ＝１のときに使用される初期化シーケンスＣｉｎｉｔも示すことを意味する。これに対し、パラメータｚが、他の１０進法の値を有する場合、パラメータｚは、ＣＳＨ＿ＥＮＡＢＬＥ＝０であることを示す。この場合にＣＳＨは無効なので、初期化シーケンスＣｉｎｉｔは、定義されない、又は少なくとも適切ではない。
【００４７】
図６Ａは、単一パラメータｚの１つ又は複数の値が、ＣＳＨが無効であることを（結合して又は別個に）示すことを企図するが、図６Ｂは、単一の値（すなわち、ｚ＝５１１）を、ＣＳＨが無効であると示すものとして、より具体的に示している。ＣＳＨ＿ＥＮＡＢＬＥをパラメータｚの単一の値のみで示すことが、実際により簡単であることを証明し、また、初期化シーケンスＣｉｎｉｔ及びＣＳＨ＿ＥＮＡＢＬＥ以外の追加の情報のシグナリングを可能にもする。もちろん、パラメータｚの５１２の値を利用するだけの実施形態は、ｚについて５１２を上回る値を利用する実施形態のために１０ビットではなく、９ビットだけしか有さないｚのシグナリングには有利であることが分かる。
【００４８】
しかし、そのような結合符号化が採用されているか否かに関わらず、本明細書中の第２の無線デバイス１６−２は、基地局１２−１からの単一パラメータｚを受信し、その単一パラメータｚに従って、アップリンク参照信号生成を基礎とする、擬似ランダムシーケンス発生器を初期化するように構成される。図７は、デバイス１６−２がこれに関して実行する処理を図示する。
【００４９】
図７に示されるように、デバイス１６−２での処理は、サブセット２８−２の異なるの初期化シーケンスを、単一パラメータｚの関数として定義する１つ又は複数の規則に従って、シーケンス発生器の可能な初期化シーケンスの第２のサブセット２８−２内で、第２の初期化シーケンス２６−２のうちの１つを選択的に導き出すこと（ブロック３００）を伴う。処理は、アップリンク参照信号２２−２を、導き出された初期化シーケンス２６−２に初期化されたシーケンス発生器で生成すること（ブロック３１０）、及び生成された信号２２−２を送信すること（ブロック３２０）をさらに含む。
【００５０】
第２のシーケンス２６−２から定義された数の最下位ビットを含む単一パラメータｚである第２の初期化シーケンス２６−２を符号化している実施形態では、無線デバイスの導き出しは、単一パラメータｚを定義された数の０でパディングすることを伴う。いくつかの実施形態では、このパディングは、定義された数の０を単一パラメータｚにアペンドすることを含む。しかし、他の実施形態では、パディングは、定義された数の０を、単一パラメータｚの先頭に追加することを含む。この場合、デバイス１６−２は、０でパディングされたその最上位ビットを有する第２のシーケンス２６−２を効果的に導き出す。
【００５１】
それに対し、基地局１２−１が、単一パラメータｚを有する定義された１対１のマッピングに従って、第２の初期化シーケンス２６−２を符号化した実施形態では（例えば、図５など）、デバイス１６−２は、同一のマッピングに基づき、シーケンス２６−２を導き出す。いくつかの実施形態では、例えば、デバイス１６−２は、図５の参照表をメモリに格納し、受信されたパラメータｚを第２の初期化シーケンス２６−２Ｃｉｎｉｔにマッピングするために、その表を参照する。そのことは、Ｃｉｎｉｔの１０進表示を対応する２進表示に変換することを伴うことがある。他の実施形態では、デバイス１６−２は、第２の初期化シーケンス２６−２Ｃｉｎｉｔを、シーケンス２６−２を符号化するために基地局１２−１により使用される対応するアルゴリズム又は数式に従い、導き出す。例えば、デバイス１６−２は、
0006309132.tif 000004
に従って、シーケンス２６−２Ｃｉｎｉｔを導き出す。
【００５２】
シーケンス２６−２ＣｉｎｉｔがＣＳＨパターンに対応する実施形態では、デバイス１６−２は、ＣＳＨパターンを導き出されたシーケンス２６−２から決定することにより、アップリンク参照信号２２−２を生成する。デバイス１６−２は、次にＣＳＨパターンを巡回シフトに適用し、最終的には生じた巡回シフトをベースシーケンスに適用し、アップリンク参照信号２２−２を生成する。もちろん、単一パラメータｚはＣＳＨ＿ＥＮＡＢＬＥのみならずシーケンス２６−２を結合符号化する場合、デバイス１６−２は、ＣＳＨ＿ＥＮＡＢＬＥをパラメータｚの関数として定義する１つ又は複数の規則に従って、ＣＳＨ＿ＥＮＡＢＬＥを導き出し、次に、ＣＳＨ＿ＥＮＡＢＬＥによりＣＳＨパターンを選択的に決定し、適用する。
【００５３】
図５〜７に関して示された実施形態は、単一パラメータｚとして符号化される第２のシーケンス２６−２を示すが、本明細書中の他の実施形態は、第２のシーケンス２６−２を、２つのパラメータｘ、ｙの線形結合として符号化する；すなわち、単一パラメータｚのみを備える図３のパラメータの第２の組３２−２の代わりに、第２の組３２−２は、２つのパラメータｘ、ｙを備える。この場合、パラメータｙは、第２のシーケンス２６−２から定義された数の最下位ビットを符号化する。パラメータｘは、第２のシーケンス２６−２から１つ又は複数の最上位ビットを含まない、つまり、定義された数（例えば、２１）の最上位ビットが０である、第２のシーケンス２６−２から定義された数の上位ビットを符号化する。図８は、参照表がｘ、ｙの線形結合を実施する場合の、この例を示す。
【００５４】
図８に示されるように、参照表は、ｘ＝０及びｙ＝｛０，１，．．．２９｝の線形結合を、可能な初期化シーケンスＣｉｎｉｔ＝｛０，１，．．．２９｝にマッピングする。同様に、表は、ｘ＝１及びｙ＝｛０，１，．．．２９｝の線形結合を、可能な初期化シーケンスＣｉｎｉｔ＝｛３２，３３，．．６１｝にマッピングし、それ以降も同様である。ｘの範囲が｛０、１６｝、ｙの範囲が｛０、２９｝の状態で、第２のシーケンス２６−２は、ｘに対して５ビット、ｙに対して５ビットを含む、１０ビットで符号化される。
【００５５】
図８は、言うまでもなく、定義されたマッピングを、符号化のために基地局１２−１により取得される参照表として示す。いくつかの実施形態における基地局１２−１は、表をメモリから取得し、他方で、他の実施形態では、基地局１２−１は、予め定義された数式にしたがって、必要に応じて表を生成することにより、表を取得する。いずれにせよ、基地局１２−１は、第２のサブセット２８−２から第２のシーケンス２６−２Ｃｉｎｉｔを選択し、次に、参照表の選択されたシーケンスＣｉｎｉｔに対応するパラメータｘ、ｙを決定する。デバイス１６−２は、これらのパラメータｘ、ｙを受信し、第２のシーケンス２６−２をこの同一のマッピングに従って対応して導き出す。
【００５６】
他の実施形態では、マッピングが、参照表以外の方法で実施される。１つの実施形態では、例えば、定義されたマッピングは、符号化のために基地局１２−１により、又は復号化のためにデバイス１６−２により、使用されるアルゴリズム又は数式として存在する。具体的には、基地局１２−１は、選択された初期化シーケンスＣｉｎｉｔをパラメータｘ、ｙとして符号化し、デバイス１６−２は、シーケンスＣｉｎｉｔをＣｉｎｉｔ＝３２ｘ＋ｙに従って、パラメータｘ、ｙの関数として復号する。
【００５７】
先ほど簡単に述べられたように、いくつかの実施形態の基地局１２−１は、異なるデバイス１６−１、１６−２のためのシーケンス発生器を、共通の初期化シーケンスで初期化する。ゆえに、この場合、基地局１２−１は、第１及び第２のシーケンス２６−１、２６−２を、それらが同一になるように、選択する。いくつかの実施形態では、選択された初期化シーケンスは、セル１４−１のデバイス１６のうちの少なくともいくつかの間で共通しているので、共通のシーケンスである。例えば、初期化シーケンスが選択され、そのシーケンスが符号化されるのは、セル１４−１の物理セルＩＤ（ｐｈｙｓｉｃａｌ  ｃｅｌｌ  ｉｄｅｎｔｉｔｙ）によって決まる。
【００５８】
このような実施形態が、例えばＬＴＥを採用する場合に、基地局１２−１は、
0006309132.tif 000005
が、セル１４−１のための物理セルＩＤで５０４の異なる整数値をとり、
0006309132.tif 000006
は３０異なる整数値｛０，２９｝をとるＰＵＳＣＨのためのシーケンスシフトパターンであるとする場合に、
0006309132.tif 000007
に従って、第１の初期化シーケンス２６−１及び第２の初期化シーケンス２６−２の１０進数表示を決定する。ここで、Ｃｉｎｉｔの範囲は、｛０、５４１｝であることが分かる。基地局１２−１は、第１のデバイス１６−１のための第１の初期化シーケンス２６−１を、単に
0006309132.tif 000008
及び
0006309132.tif 000009
を含むパラメータの組３２−１として、符号化する。第２のデバイス装置１６−２のための第２の初期化シーケンス２６−２が、第１のシーケンス２６−１と同一であるとしても、基地局１２−１は、上述の実施形態のいずれかに従って、第２のシーケンス２６−２を違った方法で符号化する。基地局１２−１は、例えば、第２のシーケンス２６−２を単一パラメータｚとして（シーケンスの１０の最下位桁として直接、又はシーケンスをパラメータｚにマッピングすることにより）符号化することができ、若しくは第２のシーケンス２６−２を、
0006309132.tif 000010
の場合にパラメータｘ、ｙとして符号化することができる。
【００５９】
他の実施形態では、基地局１２−１は、異なるデバイス１６−１、１６−２のためのシーケンス発生器を、デバイス固有である異なるシーケンスで初期化する。この場合、基地局１２−１は、デバイス固有である少なくとも１つのパラメータに基づき、初期化シーケンス２６−１、２６−２を決定する。少なくともいくつかの実施形態では、基地局１２−１は、シーケンス２６−１、２６−２を、物理セルＩＤに関わらず決定する。  
【００６０】
さらに別の実施形態では、基地局１２−１は、第１のデバイス１６−１のためのシーケンス発生器をセル固有のシーケンスで初期化するが、第２のデバイス１６−２のためのシーケンス発生器は、デバイス固有のシーケンスで初期化する。実施形態が、例えばＬＴＥを採用する場合、基地局１２−１は、第１のデバイス１６−１のための第１の初期化シーケンス２６−１を、単に
0006309132.tif 000011
及び
0006309132.tif 000012
を含むパラメータの組３２−１として符号化する。これに対し、基地局１２は、
0006309132.tif 000013
に関わらず、第２のデバイス１６−２のための第２の初期化シーケンス２６−２を決定し、次に第２のシーケンス２６−２を、単一パラメータｚとして符号化する、又は第２のシーケンス２６−２を、これらのパラメータが
0006309132.tif 000014
により決定されない場合に、パラメータｘ、ｙとして符号化する。
【００６１】
これらの実施形態のうちの少なくともいくつかにおいて、基地局１２−１は、第１のデバイス１６−１に対する下位互換性を維持するために、シーケンス発生器をこの方法で（すなわち、第１のデバイス１６−１に対してセル固有の方法で、及び第２のデバイス１６−２に対してデバイス固有の方法で）初期化し、他方で、異なるセル１４−２における第３の無線デバイス１６−３に対して、第２のデバイス１６２のセル間直交性を実現する。例えば、実施形態がＬＴＥを採用する場合、第１のデバイス１６−１は、ＬＴＥ  Ｒｅｌ−８／９／１０のために構成されるレガシーデバイスを備え、第２のデバイス１６−２は、ＬＴＥ  Ｒｅｌ−１１のために構成される新しいデバイスを備える。
【００６２】
いくつかの実施形態では、第３のデバイス１６−３は、レガシーデバイスである。この場合、基地局１２−１は、第２のサブセット２８−２から、第３のデバイス２８−１の擬似ランダムシーケンス発生器の初期化シーケンスに一致する初期化シーケンスを選択することにより、第２のデバイス１６−２のための第２のシーケンス２６−２を決定する。基地局１２−１は、第２のサブセット２８−２の範囲が、少なくとも、第３のデバイス１６−３のための可能な初期化シーケンスのサブセットの範囲に及ぶので、こうすることができる；即ち、第２のデバイス１６−１のための初期化シーケンスは、第３のデバイス１６−３について可能である値をとることができる。第２のデバイス１６−２及び第三のデバイス１６−３のための初期化シーケンスが同一の状態で、基地局１２−１は、デバイスのための異なる直交カバーコード（ＯＣＣ）を使用することにより、これらのペアリングされたデバイス１６−２、１６−３のためのセル間直交性を実現することができる。したがって、特に、このように初期化シーケンスを構成することにより、基地局１２−１は、それらのデバイスのアップリンク参照信号２２−２、２２−３の間のセル間直交性を実現するために、セル１４−１の新しいデバイス１６−２を、異なるセル１４−２内の任意のレガシーデバイス１６−３と、任意にペアリングすることができる。
【００６３】
上記実施形態では、基地局１２−１は、第３デバイス１６−３のための初期化シーケンスを、セル１４−２にサービスを提供する基地局１２−２から受信することができる。代替的には、基地局１２−１は、第３の装置１６−３のためのシーケンスがセル固有である実施形態において、セル１４−２のための
0006309132.tif 000015
の知識を介するなどして、そのシーケンスを別の方法で取得することができる。もちろん、基地局１２−１は、セル１４−１の新たなデバイス１６−１を、類似の方法で、異なるセル１４−２の新たなデバイスとペアリングすることができる。
【００６４】
当業者は、上記の実施形態は、特定の値で示されているが、実施形態は、この点に限定されないことを理解するであろう。例えば、第２の組３２−２のパラメータは９ビット又は１０ビットであり、第２のシーケンス２６−２は３１ビットであると説明されたが、他のビットサイズも可能である。同様に、第１のサブセット２８−１及び第２のサブセット２８−２の範囲がが、最小値０〜最大値５４１ほどに及んでいると説明されたが、他の範囲も可能である。
【００６５】
さらに、当業者は、３ＧＰＰ  ＬＴＥ−Ａｄｖａｎｃｅｄからの専門用語が、本明細書中の実施形態を説明するために使用されてきたが、これが、本発明の範囲を前述のシステムだけに限定するものと見なされるべきではないことを理解するであろう。ＷＣＤＭＡ（登録商標）、ＷｉＭＡＸの、ＵＭＢ及びＧＳＭ（登録商標）を含む他の無線システムもまた、本明細書中の技術を利用することから利益を得ることができる。
【００６６】
また、注目すべきは、基地局及び無線デバイス（例えば、ＵＥ）などの専門用語は、非限定的なもとのみなされるべきで、特にその２つの間の一定の階層関係を意味するものではない；即ち、「基地局」は、デバイス１及び「ＵＥ」デバイス２とみなすことができ、これら２つのデバイスは、ある無線チャネルを通じて互いに通信するということである。
【００６７】
上記の実施形態は、ＬＴＥ  Ｒｅｌ−１１ネットワークのＵＬに焦点を当てたが、他の実施形態は、ＤＬ及び他の通信プロトコルにさえ適用することができる。
【００６８】
前述の変更及び変形の観点から、当業者は、図９が、本明細書中の１つ又は複数の実施形態に従って構成された例示的な無線デバイス１６−２を示すことを理解するだろう。図９に示すように、無線デバイス１６−２は、ユーザー指向の機能（ソフトウェアアプリケーション、ユーザインタフェース制御など）を実行するアプリケーションプロセッサ４６、並びにトランシーバー回路４２及びアンテナ４０を介するネットワークアクセス及び加入者アカウンティングに必要な暗号化及び認証処理のいずれかを含む、エアインターフェースプロトコルを実装するアクセスプロセッサ４８に、少なくとも論理的に分けられる。
【００６９】
一般に、無線デバイス１６−２は、その実行が本明細書中の教示によるデバイス１６−２を構成するコンピュータプログラムなどを格納するための、例えば、マイクロプロセッサ、デジタル信号プロセッサ、若しくはその他のデジタルプロセッサ、及び関連するメモリ又は他のコンピュータ可読媒体のような、１つ又は複数の処理回路４４を含む。特に、デバイス１６−２は、上述のように、送信用の参照信号を生成するために、例えば格納されたコンピュータプログラム命令の実行により、具体的に構成される処理回路（例えば、参照信号発生器）４６を備える。
【００７０】
具体的には、処理回路４６は、サブセットの異なる初期化シーケンスを、単一パラメータの関数として定義する１つ又は複数の規則に従って、シーケンス発生器のために可能な初期化シーケンスのサブセット内で、初期化シーケンスのうちの１つを選択的に導き出すように構成される。処理回路４６は、導き出された初期化シーケンスに基づき、アップリンク参照信号を生成し、生成された信号をトランシーバー４２を介して送信するようにさらに構成される。
【００７１】
図１０も同様に、本明細中の１つ又は複数の実施形態に従って構成される例示的な基地局１２−１示す。当業者は、１つ又は複数の実施形態の基地局１２−１が、その実行が基地局１２−１を構成し、図２又は図４に示される処理を実行するコンピュータプログラムなどを格納するための、例えば、マイクロプロセッサ、デジタル信号プロセッサ、若しくはその他のデジタルプロセッサ、及び関連メモリ又は他のコンピュータ可読媒体のような、１つ又は複数の処理回路５６を含むことを理解するだろう。
【００７２】
図２に示す処理を実行するように構成されると、基地局１２−１は、例えば格納されたコンピュータプログラム命令の実行により、無線デバイス１６が先述のようにアップリンク参照信号２２の生成を基礎とする疑似ランダムシーケンス発生器を初期化するように具体的に構成される、１つ又は複数の処理回路（例えば制御／シグナリング回路）５８を含む。１つ又は複数の処理回路５８は、第１のシーケンス２６１を、第１の無線デバイス１６−１の擬似ランダムシーケンス発生器のために可能な初期化シーケンスの第１のサブセット２８−１から決定するように構成される。１つ又は複数の処理回路５８は、第２のシーケンス２６−２を、第２の無線デバイス１６−２の擬似ランダムシーケンス発生器のために可能な初期化シーケンスの第２のサブセットから決定するようにさらに構成される。この第２のサブセット２８−２の範囲は、少なくとも、第１のサブセット２８−１の範囲に及ぶ。さらに、１つ又は複数の処理回路５８は、第１のシーケンス２６−１を、第１の組３２−１の２つ以上のパラメータのとして符号化し、第２のシーケンス２６−２を、第２の組３２−２の１つ又は複数のパラメータのとして符号化するように構成される。この第２の組３２−２は、第１の組３２−１よりも少ないビットを備え、第１の組３２−１に含まれない少なくとも１つのパラメータを含む。最終的に、１つ又は複数の処理回路５８は、第１の組３２−１及び第２の組３２−２のパラメータを第１のデバイス１６−１及び第２のデバイス１６−２に送信することにより、第１のデバイス１６−１及び第２のデバイス１６−２のシーケンス発生器を、第１のシーケンス２６−１及び第２のシーケンス２６−２で初期化するように構成される。
【００７３】
図４に示す処理を実行するように構成されると、基地局１２−１は、例えば格納されたコンピュータプログラム命令の実行により、無線デバイス１６−２がアップリンク参照信号の生成を基礎とする疑似ランダムシーケンス発生器を初期化するように具体的に構成される、１つ又は複数の処理回路（例えば、制御／シグナリング回路）５８を含む。１つ又は複数の処理回路５８は、この点で、シーケンス２６−２を、デバイス１６−２の擬似ランダムシーケンス発生器のために可能な初期化シーケンスのサブセット２８−２から決定するように構成される。１つ又は複数の処理回路５８は、次に、決定されたシーケンス２６−２を単一パラメータｚとして符号化するように構成される。この単一パラメータｚの異なる値は、サブセット２８−２内で異なる可能な初期化シーケンスを表す。最終的に、１つ又は複数の処理回路５８は、無線デバイス１６−２の疑似ランダムシーケンス発生器を、単一パラメータｚを無線デバイス１６−２に送信することにより、決定されたシーケンス２６−２で初期化するように構成される。
【００７４】
いくつかのさらなる実施形態が、ここで説明される。
【００７５】
先ほど説明されたように、セル間ＲＳ直交性のためにＵＥのフレキシブルなペアリングを有効にするために、新しいＵＥのためのＣＳＨ初期化（Ｃｉｎｉｔ）が、少なくとも、隣接するセル内でＵＥが取る値を含む、ネットワーク内のレガシーＵＥに可能なすべての値をとることができることは、有益である。他方、ＣＳＨの初期化Ｃｉｎｉｔは、３１ビットのパラメータであり、シグナリングされるためにかなりのオーバーヘッドを必要とする。
【００７６】
標準ＴＳ３６．２１１  Ｖ１０．４．０では、ＴＳ３６．２１１Ｖ１０．４．０のセクション５．５．１．４で特定された擬似ランダムシーケンス発生器Ｃｉｎｉｔは、以下のように定義される。
0006309132.tif 000016
このとき、
0006309132.tif 000017
は、５０４の異なる整数値をとるセルＩＤであり、
0006309132.tif 000018
は、３０の異なる整数値をとるＰＵＳＣＨのためのシーケンスシフトパターンであるとする。したがって、Ｃｉｎｉｔのダイナミックレンジ（すなわち、最小値と最大値のとの間隔）が［０，５４１］であることが分かる。  
【００７７】
レガシーＵＥが及ぶＣｉｎｉｔの値のみが、ＲＳ及びＯＣＣのセル間直交性で新たなＵＥとレガシーＵＥをペアリングするために必要であることがここで分かる。したがって、本明細書中の１つ又は複数の実施形態は、Ｃｉｎｉｔの代わりにパラメータｚのシグナリングで構成され、ｚを０でパディングすることにより、Ｃｉｎｉｔを取得する。具体的には、この場合、ｚには１０ビットが必要であり、Ｃｉｎｉｔを形成するために、２１ビットがｚの先頭に追加される（最上位ビットとして）。
【００７８】
他の可能性は、Ｃｉｎｉｔが以下の式で表すことができることを理解することである。
0006309132.tif 000019
かつ
0006309132.tif 000020
であると仮定すると、 
0006309132.tif 000021
（１）
ここで、
0006309132.tif 000022
かつ
0006309132.tif 000023
【００７９】
この表示により、ｘを符号化するために５ビット、及びｙを符号化するために５ビットが必要とされ、つまり、Ｃｉｎｉｔを符号化するために合計１０ビットが必要とされることが明らかである。この例では、ｘ及びｙだけが、ネットワークによりシグナリングされ、Ｃｉｎｉｔの３１ビット表示は、（１）のＣｉｎｉｔの整数表示を３１ビットの２進表示に変換することによって得られる。
【００８０】
いくつかの実施形態は、１０ビットのＣｉｎｉｔ（以下で述べられる圧縮を含まない）をＵＥに示す、例えばＬＴＥ  ＢＳなどのネットワークから構成される。これにより、ネットワークは、Ｃｉｎｉｔを、ＴＳ３６．２１１  Ｖ１０．４．０でのように導き出さずに、直接シグナリングすることができる。    
【００８１】
さらなる調査は、Ｃｉｎｉｔが、レガシーＵＥについて
0006309132.tif 000024
から完全な線形範囲に及ばないことが明らかであるが、５１２未満の値だけがインデックス付与され、Ｃｉｎｉｔを符号化するには９ビットで十分であることを意味している。さらに、フレキシブルなリソースの割り当て及び任意のレガシーＵＥとのＵＥのペアリングを保証するために、ＣｉｎｉｔがレガシーＵＥと同一の組の値を取得可能にすることが有益であることが分かる。 
【００８２】
実際には、本明細書中の１つ又は複数の実施形態は、インデックスｚをＣｉｎｉｔのインデックス付与された値にマッピングし、その逆もまた同様である（双一義的な対応（ｂｉ−ｕｎｉｖｏｃａｌ  ｃｏｒｒｅｓｐｏｎｄｅｎｃｅ））表を使用する。代替的には、Ｃｉｎｉｔのレガシー値は、数式からｚの関数として得ることができる。別の数式は、ｚをＣｉｎｉｔの関数として生成する。表は、このようなマッピング数式に基づき評価される。明らかに、ｚは、Ｃｉｎｉｔよりも少ないビットで表わされる。以下の実施例において、ｚは９ビットで表わされる。
【００８３】
特定のＣｉｎｉｔの値と一致することを目的とした場合、ネットワークは、Ｃｉｎｉｔに対応するｚの値を読み取ることにより、表（又は同等に対応する数式）を評価する。ネットワークは、ｚをＵＥにシグナリングする。ＵＥは、ｚ及び表（又は対応する数式）に基づいてＣｉｎｉｔを評価する。ＵＥは、ＲＳ生成のためにＣｉｎｉｔを適用する。表又は提案された数式は、ＵＥ側及びネットワーク側の両方で知ることｇ他できる（通常、メモリに予め格納されている）。
【００８４】
少なくとも１つの実施形態は、Ｃｉｎｉｔの有用な値だけをカバーする５１０の値を有する表で構成される。したがって、これらの値だけが、ＵＥにシグナリングされる必要がある。表は、ＵＥ及びネットワークに格納することができ、又は必要に応じて、いくつかの予め定義された数式に基づき、生成することができる。即ち、ＴＳ３６．２１１Ｖ１０．４．０内の元の数式の代わりに、１つ又は複数の実施形態は、Ｃｉｎｉｔを符号化するために以下の表を使用する。
0006309132.tif 000025
表１：ＵＥに送信される必要があるＣｉｎｉｔの有用な値。注目すべきは、わずか５１０の値だけが必要とされることである。表は、固有の方法でｚをＣｉｎｉｔにマッピングし、逆の場合も同様である。
【００８５】
注目すべきは、表１が、
0006309132.tif 000026
からＣｉｎｉｔまでの、即ち右２つの列の正確なマッピングを示すことである。５１０の行を有する表を回避するために、１つ又は複数の実施形態は、各行に、Ｃｉｎｉｔの組の対応する値に１対１でマッピングされる３０の値の組を含ませる。
【００８６】
さらに、ネットワークは、ＣｉｎｉｔをＵＥにシグナリングしたい場合に、表を右から左に読み、ＵＥにシグナリングされるｚを見つける。ＵＥは、ｚを受信し、それにより、表アドレスが表示されていることが分かるので、表を左から右へ読み、Ｃｉｎｉｔを見つける。 
【００８７】
少なくとも１つの実施形態は、数式によって、第１の実施形態で定義された新しい符号化の表示から構成される。したがって、以下で導き出される数式がそのような表示を可能にすると結論付けることができる。
0006309132.tif 000027
（２）
ここで、
0006309132.tif 000028
は、ｘを、ｘ以下の最も近い整数に丸める床関数を示し、かつ
0006309132.tif 000029
である。
【００８８】
数式（２）により、ネットワーク、即ち、ＬＴＥ  ＢＳは、ＵＥに送信されるＣｉｎｉｔを容易に計算することができる。注目すべきは、Ｃｉｎｉｔは、先ほど説明されたように、それらの関係がまた表に示される、パラメータ
0006309132.tif 000030
及び
0006309132.tif 000031
によって決まるということである。
【００８９】
同様に、Ｃｉｎｉｔをｚにマッピングし、次に、例えば、ＣｉｎｉｔをＢＳから受信するとすぐにＵＥが実行するであろうことに対応する、以下の反転公式（３）を導き出すことができる。 
0006309132.tif 000032
（３）
【００９０】
提案された符号化によって、低減されたシグナリングオーバーヘッドが、ＵＥ固有のＣＳＨパターンを示すために、ＬＴＥ  ＢＳとＵＥとの間で必要とされる。より具体的には、わずか９ビット又は１０ビットだけが、ＴＳ３６．２１１  Ｖ１０．４．０でのように、現在の３１ビットの代わりに、疑似ランダム初期化シーケンスＣｉｎｉｔのためにシグナリングされる必要がある。
【００９１】
当業者は、本発明が、具体的には、本発明の本質的な特徴から逸脱することなく、本明細書に記載された方法以外の方法で実行できると認識するだろう。実施形態は、ゆえに、あらゆる点で例示的なものであり、制限的なものではないと考えられるべきであり、添付の特許請求の範囲の意味及び同等の範囲内にある全ての変更が、その中に含まれることを意図している。
【図１】
0006309132.tif 000037
【図２】
0006309132.tif 000038
【図３】
0006309132.tif 000039
【図４】
0006309132.tif 000040
【図５】
0006309132.tif 000041
【図６】
0006309132.tif 000042
【図７】
0006309132.tif 000043
【図８】
0006309132.tif 000044
【図９】
0006309132.tif 000045
【図１０】
0006309132.tif 000046